(57)【特許請求の範囲】
【請求項１】
ガスタービンエンジンから電力を取出すための電磁機械であって、
外側ロータ要素（７６）及び内側ロータ要素（７２）と、対向するフレーム部分とを含み、
前記外側ロータ要素（７６）及び内側ロータ要素（７２）は、中心軸線（１２）の周りで該外側ロータ要素（７６）及び内側ロータ要素（７２）の間に同心に配置された固定ステータ部分（６６）に隣接して回転可能に支持されており、
前記対向するフレーム部分は、前記ステータ部分（６６）の第１の端部及び第２の端部において連結されて前記ガスタービンエンジン（１０）内に前記ステータ部分（６６）を支持しており、
前記ステータ部分（６６）が、前記内側ロータ（７２）に隣接して該ステータ部分（６６）の半径方向内面上に配置された内側のステータ巻線（６７）セットと、前記外側ロータ（７６）に隣接して該ステータ部分（６６）の半径方向外面上に配置された外側のステータ巻線（６５）セットとを有し、
前記内側ロータ要素（７２）が前記ガスタービンエンジン（１０）の第１のタービンシャフトにより駆動され、
前記外側ロータ要素（７６）が前記ガスタービンエンジン（１０）の第２のタービンシャフトにより駆動され、
前記第１及び第２のタービンシャフトの各々が、前記第１及び２のタービンシャフトの他方に対して独立に回転可能であり、
前記第１及び２のタービンシャフトが、同一方向又は反対方向に同時に回転可能であり、また一致した速度で又は別個の異なる速度で制御可能に作動可能である、
複数の外側永久磁石（７５）が、前記外側ロータ要素（７６）の内面上に配置され、また複数の内側永久磁石（７４）が、前記内側ロータ要素（７２）の外面上に配置されて、前記ステータ部分（６６）の外面と前記外側永久磁石（７５）との間に外側空隙（６２）が形成され、また前記ステータ部分（６６）の内面と前記内側永久磁石（７４）との間に内側空隙（６４）が形成され、
前記内側ステータ巻線（６７）が電気的に相互接続されて第１の多相巻線セットを形成しまた前記外側ステータ巻線（６５）が電気的に相互接続されて第２の多相巻線セットを形成して、電気負荷に電力を供給するようにする、
電磁機械。
【請求項２】
前記ステータ巻線が、歯部分（１０６）の対間に形成されたスロット（８０、８４）内に配置される、請求項１記載の電磁機械。
【請求項３】
前記内側（６７）及び外側（６５）ステータ巻線が、前記スロット（８０、８４）内に並んで配置される、請求項２に記載の電磁機械。
【請求項４】
前記内側（６７）及び外側（６５）ステータ巻線が、前記ステータ歯部分（１０６）の周りにトロイダル状に巻かれる、請求項２又は３に記載の電磁機械。
【請求項５】
前記内側（６７）及び外側（６５）ステータ巻線が、少なくとも１つの層として配置される、請求項１乃至４のいずれかに記載の電磁機械。
【請求項６】
前記内側（６７）及び外側（６５）ステータ巻線が、スロット（８０、８４）に対する１つのワインダとして配置される、請求項２乃至４のいずれかに記載の電磁機械。
【請求項７】
前記内側ステータ巻線（６７）が、相互接続されて１つの多相巻線セットを形成し、前記外側ステータ巻線（６５）が、相互接続されて第２の多相巻線セットを形成する、請求項１乃至６のいずれかに記載の電磁機械。
【請求項８】
複数の変換器（９０）をさらに含み、
前記変換器（９０）の各々が、巻線セットに接続されて、該関連する相巻線を独立して駆動する、
請求項１乃至７のいずれかに記載の電磁機械。
【請求項９】
前記第１のタービンシャフトが、ＨＰタービンに接続し、前記第２のタービンシャフトが、ＬＰタービンに接続する、請求項１乃至８のいずれかに記載の電磁機械。
【請求項１０】
前記対向するフレーム部分が、該機械の両端部における軸方向開口部と、前記内側（７２）及び外側（７６）ロータ要素に連結されたＨＰシャフト（２６）及びＬＰシャフト（３０）を回転可能に支持するための少なくとも２つの軸受とを含む、請求項９記載の電磁機械。
【発明の詳細な説明】
【技術分野】
【０００１】
本発明は、航空機用の電気機械に関し、より具体的には、ガスタービンエンジンのそれぞれ高圧及び低圧タービンシャフトによって独立して駆動される同軸デュアルロータを有する電気モータ／発電機に関する。
【背景技術】
【０００２】
ガスタービンエンジンは一般的に、１つ又はそれ以上の圧縮機を含み、これら圧縮機には次に、燃焼器並びに高圧及び低圧タービンが続く。これらのエンジン構成要素は、直列流れ連通状態で配置され、かつエンジンの長手方向中心軸線の周りで環状の外部ケーシング内に配置される。作動中に、圧縮機は、それぞれのタービン及び圧縮機空気によって駆動される。圧縮機空気は、燃焼器内で燃料と混合されかつ点火されて、高温の燃焼ガスを発生する。燃焼ガスは、高圧及び低圧タービンを通って流れ、これらタービンは、高温の燃焼ガスが発生したエネルギーを取出して、圧縮機を駆動しまた補助出力を生成するようにする。
【０００３】
エンジン出力は、シャフト出力としてか又は飛行中の航空機に動力を供給するための推力としてかのいずれかとして伝達される。例えば、バイパス式ターボファンエンジンにおけるファンロータ又はガスタービンプロペラエンジンにおけるプロペラのようなその他の回転負荷では、高圧及び低圧タービンから出力を取出して、それぞれのファンロータ及びプロペラを駆動するようにする。
【０００４】
ターボファンエンジンの個々の構成要素には、作動中に異なる出力パラメータが必要であることは良く理解されている。例えば、ファン回転速度は、先端速度によってある程度に制限され、またこの回転速度は、ファン直径が非常に大きいので、非常に低速にしなければならない。一方、コア圧縮機は、その先端直径が極めて小さいことから、より高速の回転速度で駆動させることができる。従って、航空機用ガスタービンエンジンにおけるファン及びコア圧縮機には、独立した出力伝達装置を備えた別個の高圧及び低圧タービンが必要となる。さらに、タービンは、より高速の回転速度において最も効率的となるので、ファンを駆動するより低速のタービンには、必要な出力を取出すために付加的な段が必要になる。
【０００５】
多くの新型の航空機システムは、現在の航空機システムにおける電気負荷よりも大きい電気負荷に適応するように設計されている。現在開発されている商用旅客機設計の電気システム仕様は、現在の商用旅客機の電力の２倍をも要求する可能性がある。この増大した電力需要は、航空機に動力を供給するエンジンから取出された機械的出力から引出さなければならない。例えば高い高度からアイドル状態で降下している間のような比較的低い出力レベルで航空機エンジンを作動させている時に、エンジンの機械的出力からこの付加的電力を取出すことは、エンジンを適切に作動させる能力を低下させるおそれがある。
【０００６】
従来から、電力は、ガスタービンエンジンにおける高圧（ＨＰ）エンジンスプールから取出される。ＨＰエンジンスプールの比較的高速な作動速度により、該スプールは、エンジンに結合された発電機を駆動するための理想的な機械的動力源となる。しかしながら、単にＨＰエンジンスプールのみに頼るのではなくて、エンジン内の付加的な動力源から出力を引出して発電機を駆動することが望ましい。ＬＰエンジンスプールは、代りの動力伝達源を提供するが、ＬＰエンジンスプールの比較的低速により一般的に、低速の発電機は多くの場合により高速で作動する同様な定格の発電機よりも大型になるので、ギアボックスの使用が必要となる。ガスタービンエンジンのブーストキャビティは、インサイドアウト発電機を収納することができる利用可能な空間を有しているが、このブーストセクションは、ＬＰエンジンスプールの速度で回転する。
【０００７】
しかしながら、比較的低い出力レベルで作動している時（例えば、高い高度からのアイドル降下時又はそれに近い状態時、地上緩速走行での低出力時など）にエンジンからこの付加的な機械的出力を取出すことは、エンジン作動性を低下させるおそれがある。従来から、このような出力は、高圧（ＨＰ）エンジンスプールから取出されている。その比較的高速な作動速度により、高圧（ＨＰ）エンジンスプールは、エンジンに取付けられた発電機を駆動するための理想的な機械的動力源となる。しかしながら、時として、トルク及び出力を幾つかの他の手段を介してスプールに伝達することによって、このスプール上で利用可能な出力量を増加させることが望まれる。
【０００８】
エンジン内の他の動力源は、低圧（ＬＰ）スプールであり、このＬＰスプールは一般的に、ＨＰスプールよりも遙かに低速でありかつ比較的に幅広い速度範囲にわたる速度で作動する。変換せずにこの低速の機械的動力源を使用すると、実用的でない大型の発電機となる。
【０００９】
この変換に対しては、様々な形式の従来型の変速機、機械式歯車装置及び電気機械式構成を含む多くの解決方法が、可能である。
【００１０】
１つの方法は、発電機を独立して駆動するために第３の中圧（ＩＰ）スプールを利用するタービンエンジンである。しかしながら、時として、この第３のスプールはまた、ＨＰスプールに結合することが必要となる。ＩＰ及びＨＰを結合するために使用する手段は、機械式クラッチ又はビスカス型カップリング機構である。
【００１１】
２００５年５月２４日登録の「Ｇｅａｒｅｄ  Ｔｕｒｂｉｎｅ  Ｅｎｇｉｎｅ  ｗｉｔｈ  Ｔｏｒｑｕｅ  Ｍｏｄｕｌａｔｉｏｎ  Ｃａｐａｃｉｔｙ」という名称の米国特許第６，８９５，７４１号は、３つのシャフトを有する機械式歯車減速エンジンを開示している。ファン、圧縮機及びタービンシャフトは、付加的遊星歯車装置を使用することによって機械的に結合される。効果的なギア比は、電磁機械及び出力変換装置の使用により可変である。
【００１２】
米国特許第６，９２４，５７４号は、電気機械トルク密度及び効率を改善したデュアルロータ軸方向磁束トロイダル巻き永久磁石機械を開示している。少なくとも１つの同心表面装着永久磁石デュアルロータは、それぞれ背面合せ巻線を備えたトーラス状ステータの内側及び外側に設置される。永久磁石機械は、内側ロータ構成要素及び外側ロータ構成要素を備えたほぼ円筒形状の少なくとも１つの永久磁石ロータと、永久磁石ロータの内側及び外側構成要素間の開口内に配置された中空円筒形状の少なくとも１つのステータとを含む。複数の電線の多層巻線が、少なくとも１つのステータの周りに巻かれる。
【特許文献１】米国特許第６，８９５，７４１号公報
【特許文献２】米国特許第６，９２４，５７４号公報
【特許文献３】米国特許第６，９４９，８５５号公報
【特許文献４】米国特許第６，８９１，３０６号公報
【特許文献５】米国特許第６，８４９，０１７号公報
【特許文献６】米国特許第６，７９１，２２２号公報
【特許文献７】米国特許第６，２９７，５７５号公報
【特許文献８】米国特許第５，７９３，１３６号公報
【特許文献９】米国特許第４，２８８，７０９号公報
【特許文献１０】米国特許第４，１９８，５８２号公報
【特許文献１１】米国特許第２，８４７，５９４号公報
【特許文献１２】米国特許第２，７２２，６１７号公報
【特許文献１３】米国特許第２，２２３，２１０号公報
【特許文献１４】米国特許第６，５９０，３１２  Ｂ１号公報
【特許文献１５】米国特許第６，７１０，４９２  Ｂ２号公報
【特許文献１６】米国特許出願公開第２００６／００７１５７５Ａ１号公報
【特許文献１７】米国特許出願公開第２００５／０１１０３６５Ａ１号公報
【特許文献１８】米国特許出願公開第２００５／００７７８００Ａ１号公報
【特許文献１９】米国特許出願公開第２００４／０２５５５９０Ａ１号公報
【発明の開示】
【発明が解決しようとする課題】
【００１３】
従って、ＬＰ及びＨＰエンジンスプールの両方により電力を発生することができる小型のモータ／発電機を備えたガスタービンエンジンに対する必要性が存在する。
【課題を解決するための手段】
【００１４】
本発明は、ＨＰスプールに連結されたロータ及びＬＰスプールに連結されたロータを有する両面式デュアルシャフト（ＤＳＤＳ）電気機械に関する。ステータ部分は、２つのロータ間に配置される。ＤＳＤＳ電気機械は、いずれか一方の又は両方のロータにより電力を発生するように構成される。ＤＳＤＳ機械の内側及び外側ロータシャフトは、それぞれＨＰ及びＬＰシャフトによって独立して駆動される。独立したロータシャフトは、各ロータが異なる速度で回転し、かつ動力電気変換器を使用して、機械の一側面を発電機として作動させまた電気機械の反対側面をモータとして作動させることを可能とする。ステータは、一対の対向する巻線を含む。各対向するステータ巻線セットは、それぞれのロータに隣接しており、関連するロータから空隙によって分離される。従って、各ロータシャフトの回転速度及び方向は、互いに独立している。
【００１５】
本発明の利点は、ＨＰ及びＬＰスプールの両方が、２つの別個の電気機械に比べて質量及び体積がより小さい単一の小型の発電機に連結することができることである。
【００１６】
別の利点は、モータ／発電機のいずれか一方又は両方の側面から電力を引出すことができることである。
【００１７】
本発明のさらに別の利点は、本発明が、ステータ上の半径方向力の低減、ステータヨーク厚さの低減、フレーム質量の低減及び製作コストの低減を含む、両面式構造のモータ／発電機による全ての特徴を組み入れていることである。
【００１８】
本発明のさらに別の利点は、幾つかの故障状態の間に、部分負荷を維持して非常に高い信頼性を得ることができることである。
【００１９】
別の利点は、ＨＰ及びＬＰ発電機セクションが、磁極の数に関連させて速度範囲及び出力を個別に最適化することができることである。
【００２０】
本発明の別の利点は、２つのより小型の機械の代わりにより大出力定格機械を使用することを可能にし、航空機上での空間容積の消費をより少なくしかつ幾つかの用途において直接駆動を可能とすることによってコストを大幅に削減する。
【００２１】
本発明の他の特徴及び利点は、実施例によって本発明の原理を示す添付の図面と関連して行った、好ましい実施形態の以下のより詳細な説明から明らかになるであろう。
【発明を実施するための最良の形態】
【００２２】
可能な場合には常に、図面全体を通して同一の参照番号を使用して、同じ又は類似した部品を示すことにする。
【００２３】
図1に示すのは、全体として前方方向１４及び後方方向１６に延びるほほ軸方向に延びる軸線又は中心線１２を有する例示的なターボファンエンジン１０である。バイパス式ターボファンエンジン１０は、全てが直列軸流関係に配置された高圧圧縮機２０と、燃焼器２２と、高圧タービンブレード２４の列を有する高圧タービン（ＨＰＴ）２３とを備えたコアエンジン１８（ガス発生機とも呼ばれる）を含む。高圧圧縮機２０の高圧圧縮機ブレード６４は、エンジン１０の中心線１２の周りで同軸に配置されて高圧スプール２１を形成した大径の環状コアエンジンシャフト２６によって高圧タービンブレード２４に対して駆動係合状態で固定連結される。
【００２４】
コアエンジン１８の燃焼器２２は、高圧圧縮機２０からの加圧空気を燃料と混合しかつ得られた燃料及び空気混合物を点火して、燃焼ガスを生成する。高圧タービンブレード２４によって、幾らかの仕事がこれらのガスから取出され、高圧タービンブレード２４は、高圧圧縮機２０を駆動する。燃焼ガスは、コアエンジン１８から低圧タービンブレード２８の列を有する出力タービン又は低圧タービン（ＬＰＴ）２７内に吐出される。低圧タービンブレード２８は、より小径の環状低圧シャフト３０に固定取付けされ、この低圧シャフト３０は、エンジン１０の中心線１２の周りでコアエンジンシャフト２６内に同軸に配置されて低圧スプール２９を形成する。低圧シャフト３０は、エンジンファンセクション３５の軸方向に間隔を置いて配置された第１及び第２段３１及び３３を回転させる。第１及び第２段ファン３１及び３３は、それぞれほぼ半径方向外向きに延びかつ円周方向に間隔を置いて配置された第１及び第２段ファンブレード３２及び３６の第１及び第２段列を含む。
【００２５】
ファンバイパスダクト４０は、第２段ファン３３及びコアエンジン１８を囲む。コア吐出空気流１７０は、低圧タービン２７から吐出されて、ファンバイパスダクト４０から後部可変面積バイパスインジェクタ（ＶＡＢＩ）５３を通して吐出されたバイパス空気流１７８と混合される。混合は、排気流が形成されるテールパイプ６９内で行われ、排気流は、可変面積排気ノズルを通して吐出される。オプショナルアフタバーナ１３０を使用して、エンジン１０の推力ポテンシャルを高めることができる。
【００２６】
図２を参照すると、両面式デュアルシャフト（ＤＳＤＳ）電気機械は、その全体を符号１００で示している。内側及び外側ロータ７２、７６は、独立しており、異なる速度で回転可能である。各ロータ７２、７６は、それぞれ各シャフト２６、３０に対して少なくとも１つの軸受７３、７７を有する。軸受の位置及び型式は、適用要件に基づいて変化させることができる。
【００２７】
次に、図２及び図３を参照すると、タービンエンジン１０は、外側ロータコア７６及び内側ロータコア７２を備えたＤＳＤＳ機械１００を含み、これらのロータコアは、ほぼ中空の円筒状構成要素であり、内側及び外側ロータコア７２、７６間には、ステータ部分６６が、軸線１２の周りで同心に配置される。対向するフレームセクション５６、５８は、エンジン１０内部でステータ部分６６に対して剛性支持を与え、ＨＰシャフト２６及びＬＰシャフト３０を回転可能に支持するための軸受７３、７７用の中心開口部を含む。内側のステータ巻線６７セットは、ステータ部分６６の半径方向内面上に取付けられる。内側ステータ巻線６７は、相互接続されて第１の多相巻線８８セットを形成する（例えば、図５及び図６を参照）。外側のステータ巻線６５セットは、ステータ部分６６の半径方向外面上に取付けられる。外側ステータ巻線６５は、相互接続されて第２の多相巻線８９セットを形成する（例えば、図５及び図６を参照）。外側ロータコア７６は、外側永久磁石７５を有し、また内側ロータコア７２は、内側永久磁石７４を有する。ステータ部分６６は、外側歯部分１０４及び内側歯部分１０６を有し、それら歯部分は、スロット８０、８４によって分離されている。外側ステータ巻線又はコイル６５及び内側ステータ巻線又はコイル６７は、それぞれ外側ステータコイル保持ウェッジ１０８及び内側ステータコイル保持ウェッジ１１０によってスロット８０、８４内に保持される。２側面ステータ部分６６と外側ロータ７６に取付けられた永久磁石７５との間に、外側空隙６２が形成され、またステータ部分６６と内側ロータ７２に取付けられた永久磁石７４との間に、内側空隙６４が形成される。図３に示す実施形態では、ステータ部分６６は、軸線１２と平行にステータヨーク部分１１６内に配置された複数の円周方向に間隔を置いたボルト６８による積層スタックの圧縮により構造的に補強される。ボルトシャフト７０及び少なくとも１つのボルト端部６８は、絶縁体チューブ７１及び絶縁体リング７９によって積層体及びフレーム構造体から絶縁されて、誘導電流並びにそれにより生じる損失及び加熱を回避する。図３に示す実施例では、スロット当たり１つのボルトを使用し、またボルト穴の位置は、例えばボルト穴６９のようにステータ歯１０４、１０６と整列しているが、当業者には分かるように、より多い又はより少ないボルトを使用することもできる。また、巻線６５、６７を空気冷却するための外側ステータ巻線６５間のエアーキャビティ１１２及び内側ステータ巻線６７間のエアーキャビティ１１４もまた、示している。
【００２８】
図３では、歯部分１０４、１０６の対間に形成されたスロット８０、８４内に配置されたステータ巻線６５、６７は、並んで配置されている。巻線６５、６７は、ステータ歯部分１０４、１０６の周りにトロイダル状に巻かれるのが好ましい。これらの巻線はまた、上部及び下部層内に又はスロット８０、８４当たり単一のコイルとして配置することができる。内側コイル６７は、相互接続されて１つの多層巻線セットを形成し、また外側コイル６５は、相互接続されて第２の多層巻線セットを形成する。それぞれ各巻線セットを駆動するように変換器９０（例えば、図５及び図６を参照）を接続して、各巻線セットを独立して作動させるようにすることができる。従って、一般に、ＨＰ及びＬＰシャフト２６、３０は、同一方向又は反対方向に同時に回転させることができ、かつ一致した速度で又は別個の異なる速度で作動するように制御することができる。
【００２９】
この例示的な実施形態での磁極７４、７５は、表面装着永久磁石磁極である。別の実施形態では、埋込永久磁石磁極、巻線磁場磁極、リラクタンスロータ磁極、箱型又は巻線誘導型磁極などを、ロータ７２、７６のいずれか一方又は両方の永久磁石磁極の代わりに使用することができる。内側及び外側機械についての磁極数、スロット数及び位相数は、個々の電力要件に応じて変化させることができる。さらに、２つの側面は、独立して構成しかつ最適化することができる。
【００３０】
信頼性及び耐故障性は、航空機で使用する全ての電気機械に対して重要である。本発明によると、内側ロータ部７２又は外側ロータ部７６のいずれかによる多層巻線は、複数のセットに分離することができ、各位相セットは、個々の変換器９０によって駆動される。従って、変換器９０又は機械巻線６５、６７の故障の場合には、１つ又は複数の位相セットのみが作動不能になるが、残りの位相は、航空機に電力を供給するように作動可能な状態のままである。
【００３１】
図４を参照すると、この本発明の例示的な実施形態では、内側及び外側ステータ巻線６７、６５が独立した多相発電機として構成されている。外側の巻線６５セットは、Ａ１〜Ｆ１として示した６層の多相巻線６５の形態で配置される。永久磁石７５は、Ｎ極及びＳ極間でその極性が交互しており、それによって、該磁石７５が外側ロータ７６上で巻線Ａ１〜Ｆ１を通過して回転すると、巻線Ａ１〜Ｆ１内に電磁エネルギーを誘導して、空隙６２を越えてステータ歯部分１０４との間で磁束経路を形成する。内側の巻線６７セットは、この実施例では、相巻線Ａ１〜Ｆ１とは独立している３相の多相巻線Ａ２〜Ｃ２として配置される。永久磁石７４は、該磁石７４が内側ロータ７２上で巻線Ａ２〜Ｃ２を通過して回転すると、内側ステータ巻線６７と関連する相巻線Ａ２〜Ｃ２の３つ全ての唯一の励起源を構成して、空隙を越えてステータ歯部分１０６との間で磁束経路を形成する。
【００３２】
図５及び図６を参照すると、各多相巻線８８セットは、変換器９０によって駆動されて、各巻線８８セットが互いに独立して作動することを可能にする。従って、シャフト２６、３０は、（ａ）反対方向に、（ｂ）同一方向に異なる速度で又は（ｃ）同一方向に同一速度で、同時に回転することができる。
【００３３】
図５及び図６は、多相巻線８８が複数セットに分離されている場合の例示的な実装例である。図５には、相巻線の２つのセット８８、すなわちＮ１相として構成された相巻線の第１のセット８６とＮ２相として構成された相巻線の第２のセット８９とがある。各相巻線セット８６、８９は、個々の変換器９０によって駆動される。図６に示す別の実施形態では、３相巻線８８は各々、個々の専用の変換器ユニット９０によって駆動される。
【００３４】
図７は、航空機エンジンにおける両面式電気機械１００の実施形態を示す。ＤＳＤＳ機械１００は、ＬＰスプール３０及びＨＰスプール２６の両方に連結されて、電力を発生し、また幾つかの実施例ではＨＰスプール２６を始動する。ＬＰスプール３０は、ギアボックス９２を介して内側ロータ７２に連結される。ギアボックス９２は、機械式ギアボックス又は磁気式ギアボックスのいずれかとすることができる。外側ロータ７６は、これも同様に機械式又は磁気式装置とすることができる別のギアボックス９４を介してＨＰスプール２６に連結される。ＤＳＤＳ機械１００は、必要に応じて、内側ロータ７２又は外側ロータ７６のいずれかから機械的出力を取出して電気的出力（電力）にすることができる。シャフト２６、３０のいずれかを通してＨＰ又はＬＰタービンから取出した電力の相対量は、変換器９０によって完全に制御可能であり、機械はそれに合わせて設計される。両側のギアボックス９２、９４は任意選択的なものであり、システム設計パラメータに応じてギアボックスのいずれか一方又は両方を除去することができる。また、ＤＳＤＳ機械１００のトルクレベル及び最大速度に応じて、ＨＰシャフト２６は、内側ロータに連結でき、ＬＰシャフト３０は外側ロータに連結することができる。
【００３５】
両面式機械を全体的に２つの発電機構成として説明してきたが、ＤＳＤＳ機械は、内側又は外側巻線６５、６７セットのいずれかに電力を供給し、従ってロータ部７２、７６の１つに回転を生じさせることによって、タービンエンジン１０のスタータモータとして作動させることができることは、電気機械の分野の当業者には分かるであろう。いずれかのロータを始動モータとして作動可能にしてエンジン１０を始動することができるが、ＨＰタービンシャフトに連結されたロータを始動モータとして使用するのが好ましい。
【００３６】
好ましい実施形態に関して本発明を説明してきたが、本発明の技術的範囲を逸脱することなく、本発明の要素に対して様々な変更を加えることができ、また本発明の要素を均等物で置き換えることができることは、当業者には分かるであろう。さらに、本発明の本質的な技術的範囲を逸脱することなく、特定の状況又は物的要件を本発明の教示に適合させるように多くの変更を行うことができる。従って、本発明は、本発明を実施するのに考えられる最良の形態として開示した特定の実施形態に限定されるものではなく、本発明が、特許請求の範囲の技術的範囲の範囲内に属する全ての実施形態を含むことになることを意図している。
【図面の簡単な説明】
【００３７】
【図１】例示的な航空機用ターボファンガスタービンエンジンの長手方向概略断面図。
【図２】本発明の両面式電気機械の軸方向部分断面図。
【図３】本発明の両面式電気機械の部分断面図。
【図４】内側及び外側部分について異なる数の相を有する本発明の両面式電気機械の概略部分断面図。
【図５】両面式機械と電力変換器との間の１つの例示的な相互接続を示す概略図。
【図６】両面式機械と電力変換器との間の別の例示的な相互接続を示す概略図。
【図７】低圧及び高圧スプールに連結された本発明の両面式電気機械の概略図。
【符号の説明】
【００３８】
１０  ターボファンエンジン
１２  軸線
１４  前方方向
１６  後方方向
１８  コアエンジン
２０  ＨＰ圧縮機
２１  ＨＰスプール
２２  燃焼器
２３  ＨＰタービン（ＨＰＴ）
２４  ＨＰＴブレード
２６  大径シャフト
２７  ＬＰタービン（ＬＰＴ）
２８  ＬＰＴブレード
３０  ＬＰシャフト
３１  第１段ファン
３２  第１段ファンブレード
３３  第２段ファン
３５  エンジンファンセクション
３６  第２段ファンブレード
４０  ファンバイパスダクト
５３  ＶＡＢインジェクタ
５６  フレームセクション
５８  フレームセクション
６０  内側空隙
６２  外側空隙
６４  ＨＰ圧縮機ブレード
６５  外側ステータ巻線
６６  ステータ部分
６７  ステータ巻線（内側）
６８  積層体圧縮ボルト
６９  ボルト穴
７０  ボルトシャフト
７１  絶縁体チューブ
７２  内側ロータコア
７３  ロータ軸受（内側）
７４  内側永久磁石
７５  外側永久磁石
７６  外側ロータコア
７７  外側ロータ軸受
７８  外側ステータ巻線
７９  絶縁体リング
８０  スロット
８２  ステータ巻線
８４  スロット
８６  第１の多相巻線セット
８８  多相巻線
８９  第２の多相巻線セット
９０  変換器
９２  ＬＰギアボックス
１００  ＤＳＤＳ電気機械
１０４  外側ステータ歯部分
１０６  内側ステータ歯部分
１０８  保持ウェッジ
１１０  保持ウェッジ
１１２  外側エアーキャビティ
１１４  内側エアーキャビティ
１１６  ステータヨーク部分
１３０  オプショナルアフタバーナ
１７０  コア吐出空気流
１７８  バイパス空気流
【図１】
0005483812.tif 000002
【図２】
0005483812.tif 000003
【図３】
0005483812.tif 000004
【図４】
0005483812.tif 000005
【図５】
0005483812.tif 000006
【図６】
0005483812.tif 000007
【図７】
0005483812.tif 000008